(57)【特許請求の範囲】
【請求項１】
使用状態と収納状態との間で移動可能な発光ユニットと、
前記発光ユニットを前記収納状態に付勢する付勢部材と、
駆動源によって駆動される駆動部材と、
前記駆動部材に連動して移動することで前記発光ユニットと当接し、前記付勢部材の付勢力に抗して前記発光ユニットを前記収納状態から前記使用状態に移動させる移動部材とを有し、
前記駆動部材には、前記発光ユニットが前記収納状態となるときに、前記移動部材と係合する第１のカムが形成されるとともに、前記収納状態の前記発光ユニットを手動操作によって、前記使用状態に移動させる際に、前記移動部材と前記第１のカムとの係合を解除して、前記移動部材と係合する第２のカムが形成され、
前記発光ユニットを手動操作によって、前記収納状態から前記使用状態に移動させる際には、前記移動部材が移動することなく前記第１のカムとの係合した状態で、前記発光ユニットが前記収納状態から第１の状態まで移動するように、前記収納状態となる前記発光ユニットと前記移動部材との間に第１のクリアランスを形成し、
前記発光ユニットを前記収納状態から前記第１の状態まで移動させることで、前記発光ユニットと撮像装置本体との間に隙間が形成されることを特徴とする撮像装置。
【請求項２】
前記発光ユニットを手動操作によって、前記使用状態から前記収納状態に移動させる際には、前記移動部材が移動することなく前記第２のカムとの係合した状態で、前記発光ユニットが前記使用状態から第２の状態まで移動するように、前記使用状態となる前記発光ユニットと前記移動部材との間に第２のクリアランスを形成することを特徴とする請求項１に記載の撮像装置。
【請求項３】
前記付勢部材は、前記発光ユニットが前記収納状態となるときには、前記発光ユニットを前記収納状態に付勢するとともに、前記発光ユニットが前記使用状態となるときには、前記発光ユニットを前記使用状態に付勢するトグルばねであって、
前記発光ユニットが前記収納状態から前記第１の状態まで移動する間には、前記トグルばねは前記発光ユニットを前記収納状態に付勢し、
前記発光ユニットが前記使用状態から前記第２の状態まで移動する間には、前記トグルばねは前記発光ユニットを前記使用状態に付勢することを特徴とする請求項２に記載の撮像装置。
【請求項４】
前記移動部材には、前記第１のカムまたは前記第２のカムと係合可能であって、前記第１のカムまたは前記第２のカムとの係合を解除する際に、前記移動部材の内部に退避するフォロワーが形成されることを特徴とする請求項１ないし３のいずれか１項に記載の撮像装置。
【発明の詳細な説明】
【技術分野】
【０００１】
本発明は、使用状態と収納状態との間で移動する発光部を有する撮像装置に関するものである。
【背景技術】
【０００２】
従来、この種の撮像装置において、発光ユニットは電源オフ時などの撮像不能状態では収納状態となり、電源オン時などの撮像可能状態では、撮像装置本体から突出した使用状態となる。
【０００３】
特許文献１には、レンズ鏡筒の沈胴位置からの繰り出し動作、および沈胴位置への繰り込み動作に連動し、発光ユニットを使用状態と収納状態との間で移動させる撮像装置が開示されている。
【先行技術文献】
【特許文献】
【０００４】
【特許文献１】特開平０７−１９９２９５号公報
【発明の概要】
【発明が解決しようとする課題】
【０００５】
従来の撮像装置では、撮像可能状態となるレンズ鏡筒が繰り出した状態では発光ユニットは常に突出した使用状態となり、撮像不能状態となるレンズ鏡筒が沈胴状態では常に収納状態となる。
【０００６】
本出願人は、先の出願にて、レンズ鏡筒を沈胴状態から繰り出し状態とするときに、発光ユニットを収納状態から使用状態とする撮像装置において、使用状態となった発光ユニットを手動で収納状態とし、手動で使用状態に戻すことの可能な撮像装置を提案した。
【０００７】
発光ユニットが使用状態となるとき、発光ユニットは撮像装置本体から突出した状態となるので、発光ユニットを使用状態から収納状態にする場合には、手動操作が比較的容易である。一方、発光ユニットが収納状態となるとき、発光ユニットは撮像装置本体に収納された状態となるので、発光ユニットを収納状態から使用状態にする場合には、手動操作が困難になってしまう。
【０００８】
本発明の目的は、先の出願の撮像装置において、発光ユニットを収納状態から使用状態にする場合にも、手動操作が困難にならない撮像装置を提供することにある。
【課題を解決するための手段】
【０００９】
本発明の撮像装置は、使用状態と収納状態との間で移動可能な発光ユニットと、前記発光ユニットを前記収納状態に付勢する付勢部材と、駆動源によって駆動される駆動部材と、前記駆動部材に連動して移動することで前記発光ユニットと当接し、前記付勢部材の付勢力に抗して前記発光ユニットを前記収納状態から前記使用状態に移動させる移動部材とを有し、前記駆動部材には、前記発光ユニットが前記収納状態となるときに、前記移動部材と係合する第１のカムが形成されるとともに、前記収納状態の前記発光ユニットを手動操作によって、前記使用状態に移動させる際に、前記移動部材と前記第１のカムとの係合を解除して、前記移動部材と係合する第２のカムが形成され、前記発光ユニットを手動操作によって、前記収納状態から前記使用状態に移動させる際には、前記移動部材が移動することなく前記第１のカムとの係合した状態で、前記発光ユニットが前記収納状態から第１の状態まで移動するように、前記収納状態となる前記発光ユニットと前記移動部材との間に第１のクリアランスを形成し、前記発光ユニットを前記収納状態から前記第１の状態まで移動させることで、前記発光ユニットと撮像装置本体との間に隙間が形成されることを特徴とする。
【発明の効果】
【００１０】
本発明によれば、発光ユニットを収納状態から使用状態にする場合にも、手動操作が困難にならない撮像装置を提供することができる。
【図面の簡単な説明】
【００１１】
【図１】本発明の実施例であるデジタルカメラの外観斜視図である。
【図２】レンズ鏡筒ユニットの分解斜視図である。
【図３】レンズ鏡筒ユニットを説明する図である。
【図４】発光ユニットの分解斜視図である。
【図５】発光部を説明する図である。
【図６】発光部が使用状態と収納状態との間で移動する動作を説明する図である。
【図７】駆動環３０に形成される３つのカム形状を説明する図である。
【図８】発光部の動作を説明する図である。
【図９】発光部が手動操作される際の動作を説明する図である。
【図１０】収納状態となった発光部を、手動操作によって使用状態まで移動させる動作を説明する図である。
【発明を実施するための形態】
【００１２】
以下、本発明の実施例について、図１〜１０を参照しながら詳細に説明する。
【００１３】
図１は本発明を実施した撮像装置としてのデジタルカメラを説明するものであって、本実施例のデジタルカメラの４つの状態を説明する図である。図１（ａ）は、撮像不能状態の一例である電源オフ状態を示している。この状態ではレンズ鏡筒ユニットＬは沈胴状態となり、発光ユニット１は収納状態となる。図１（ｂ）は、撮像可能状態の一例である電源オン状態を示している。この状態ではレンズ鏡筒ユニットＬは繰り出し状態となり、発光ユニット１は使用状態となる。図１（ｃ）は、図１（ｂ）に示す状態から、発光ユニット１を手動操作によって使用状態から収納状態に移動させた状態を示している。この状態ではレンズ鏡筒ユニットＬは繰り出し状態となり、発光ユニット１は収納状態となる。図１（ｄ）は、図１（ａ）に示す状態から、発光ユニット１を手動操作によって収納状態から使用状態に移動させた状態を示している。この状態ではレンズ鏡筒ユニットＬは沈胴状態となり、発光ユニット１は使用状態となる。
【００１４】
本実施例のデジタルカメラは図１（ｂ）の状態から手動操作によって、図１（ｃ）の状態とすることができる。そして、図１（ｃ）の状態で電源をオフしたときに、発光部Ｓは収納状態のまま、図１（ａ）の状態となる。また、本実施例のデジタルカメラは図１（ａ）の状態から図１（ｄ）の状態とすることができる。そして、図１（ｄ）の状態で電源をオンしたときに、発光部Ｓは使用状態のまま、図１（ｂ）の状態となる。
【００１５】
図２はデジタルカメラのレンズ鏡筒ユニットＬの分解斜視図である。
【００１６】
レンズ鏡筒ユニットＬは、１群レンズ、２群レンズおよび不図示の３群レンズから構成される。１群レンズは１群レンズホルダ１０に保持され、２群レンズは２群レンズホルダ１１に保持される。直進案内板１２には、１群レンズホルダ１０を光軸方向へ移動可能に支持する１群案内棒１３が形成されている。１群案内棒１３は、１群レンズホルダ１０の内面に形成された光軸方向へ延びる不図示の溝に係合している。同様に、直進案内板１２には、２群レンズホルダ１１を光軸方向へ移動可能に支持する２群案内棒１５が一体的に形成されている。２群案内棒１５は２群レンズホルダ１１の外周部に設けられた２群直進穴１４に係合し、２群レンズホルダ１１を光軸方向へ移動可能に支持する。
【００１７】
したがって、直進案内板１２に形成される１群案内棒１３および２群案内棒１５によって、１群レンズホルダ１０および２群レンズホルダ１１は光軸方向へ移動を案内される。また、直進案内板１２のフランジ部の外縁部には複数の突起１６が形成されている。突起１６が固定カム環１７の内面に設けられた光軸方向へ伸びる複数の溝１８にそれぞれ係合することにより、直進案内板１２は光軸方向へ移動可能に支持される。
【００１８】
移動カム環１９の外周面には、外周面を３等分するようにカムフォロワー２０が形成される。カムフォロワー２０は固定カム環１７の内面に形成された同形状の３本のカム２１にそれぞれカム係合する。これによって、移動カム環１９の回転に伴いカムフォロワー２０はカム２１をトレースし、移動カム環１９は回転しながら光軸方向に移動する。
【００１９】
さらに、移動カム環１９の内周面後端部に設けられた係合溝２２に、直進案内板１２のフック２３が係合することによって、直進案内板１２は移動カム環１９に対して回転可能に係合する。これにより、移動カム環１９の光軸方向への移動にともない、直進案内板１２もともに光軸方向へ移動する。
【００２０】
１群レンズホルダ１０の外周面部には、外周面を３等分するように１群カムフォロワー２４が形成される。１群カムフォロワー２４は移動カム環１９の内周面に設けられた同形状の３本の１群カム２５にそれぞれカム係合する。これによって、移動カム環１９の回転に伴って１群カムフォロワー２４は１群カム２５をトレースする。また、１群レンズホルダ１０は光軸方向へ移動するよう案内されているので、１群レンズホルダ１０は移動カム環１９の回転に伴って１群カム２５の光軸方向への変位量に合わせて移動する。
【００２１】
２群レンズホルダ１１の外周面部には、外周面を３等分するように２群カムフォロワー２６が形成される。２群カムフォロワー２６は、移動カム環１９の内周面に設けられた同形状の３本の２群カム２７にそれぞれカム係合する。これによって、移動カム環１９の回転に伴って２群カムフォロワー２６は２群カム２７をトレースする。また、２群レンズホルダ１１は光軸方向へ移動するよう案内されているので、２群レンズホルダ１１は移動カム環１９の回転に伴って２群カム２７の光軸方向への変位量に合わせて移動する。
【００２２】
移動カム環１９の外周面には、外周面を３等分するように駆動ピン２８が形成される。駆動ピン２８は固定カム環１７の内周面から外周面に貫通するカム穴２９を貫通して固定カム環１７の外周面から突出する。カム２１とカム穴２９は同形状であり、移動カム環１９の固定カム環１７に対する回転繰り出し移動に対して、駆動ピン２８はカム穴２９をトレースしてカム環１７から突出した状態を維持する。
【００２３】
駆動部材としての駆動環３０は固定カム環１７の外周面に嵌合して回転自在に支持される。駆動環３０の内周面には、光軸方向へ伸びる溝３１が３等分にするように配置され、溝３１に駆動ピン２８がそれぞれ係合する。これにより、駆動環３０の回転が溝３１と駆動ピン２８を介して移動カム環１９へと伝達される。
【００２４】
このように、１群レンズホルダ１０、２群レンズホルダ１１、直進案内板１２、固定カム環１７、移動カム環１９および駆動環３０は一体となり、それぞれが連携して動作する。そしてこの一体となった部品は鏡筒ベース３２へと組み込まれる。さらに、撮像素子を保持する撮像素子ホルダ３３が鏡筒ベース３２とともに固定カム環１７のフランジ部分を挟み込むように固定される。
【００２５】
レンズ鏡筒ユニットＬの駆動源４４は電力を動力へと変換する電磁モーターである。駆動源４４の動力はギア列４５を介して駆動環３０の外周面に形成された駆動環ギア４６へと伝達される。これにより、駆動源４４への通電によって駆動環３０を回転させることができる。
【００２６】
鏡筒ベース３２は駆動源４４およびギア列４５を保持するとともに、移動部材としてのスライダ３７を光軸方向に移動可能に保持する。スライダ３７は鏡筒ベース３２に保持されたスライダシャフト３８に案内されることで、鏡筒ベース３２上において、光軸方向へ移動可能となっている。スライダ３７には、スライダ３７の内部に進退可能なフォロワーとしてのストロボフォロワー３９が形成され、ストロボフォロワー３９は圧縮ばね４０によってスライダ３７から突出する方向に付勢されている。
【００２７】
駆動環３０の外周面には、ストロボフォロワー３９と係合可能な第１のストロボカム３０ａ、第２のストロボカム３０ｂおよび第３のストロボカム３０ｃが形成されている。ストロボフォロワー３９が第１のストロボカム３０ａと係合する場合には、駆動環３０が回転することによって、スライダ３７は鏡筒ベース３２上で光軸方向に移動する。
【００２８】
図３は、レンズ鏡筒ユニットＬを説明する図である。図３（ａ）はレンズ鏡筒ユニットＬの外観斜視図である。図３（ａ）の状態ではレンズ鏡筒ユニットＬは沈胴状態となっている。図３（ｂ）は図３（ａ）の状態におけるレンズ鏡筒ユニットＬの外観正面図である。図３（ｃ）はレンズ鏡筒ユニットＬの図３（ｂ）におけるＡ−Ａ断面図である。
【００２９】
図３（ａ）に示すように、スライダ３７にはＵ字部３７ａが形成され、後述するストロボホルダー４０８から突出形成される突起４０８ｂを挟み込む。図３（ｃ）に示すように、スライダ３７には、スライダ３７をスライダシャフト３８に支持した状態で、駆動環３０の外周面に対して略垂直となる穴部が形成され、この穴部にストロボフォロワー３９および圧縮ばね４０が挿入されている。図３（ｃ）の状態では、ストロボフォロワー３９は第１のストロボカム３０ａと係合している。
【００３０】
図４はデジタルカメラの発光ユニット１の分解斜視図である。
図４（ａ）は、発光ユニット１の分解斜視図で、４０１は、キセノン管であり、リード線４０２によって、図４（ｂ）に示すフレキシブル配線基板４０３と電気的に接続される。フレキシブル配線基板４０３は発光制御を行うストロボ基板４０４と電気的に接続されている。反射笠４０５はキセノン管４０１からの光を集光させる。キセノン管ゴム４０６はキセノン管４０１の端子部の絶縁を行うとともに、キセノン管４０１を反射笠４０５側へ付勢する。プリズムパネル４０７はキセノン管４０１と反射笠４０５からの光を所望の範囲に照射する。
【００３１】
キセノン管４０１、反射笠４０５、キセノン管ゴム４０６およびプリズムパネル４０７をストロボホルダー４０８に配置した後、ストロボカバー２をストロボホルダー４０８にビスによって固定することで、発光ユニット１は組み立てられる。
【００３２】
図４（ｂ）は、発光ユニット１が使用状態と収納状態との間で移動するように保持する構造を説明する図である。
【００３３】
発光ユニット１は、ストロボシャフト３０２によってストロボベース３０１に対して回動可能に支持される。ストロボホルダー４０８には、トグルばね４０９の一端を引っ掛ける軸４１０が圧入されている。トグルばね４０９の他端はストロボベース３０１に備える軸３０１ａに引っ掛けられる。トグルばね４０９は、ストロボシャフト３０２を回動中心に発光ユニット１を使用状態および収納状態に付勢する付勢部材として機能する。
【００３４】
フレキシブル配線基板４０３、ストロボ基板４０４およびストロボコンデンサー４１２は取り付け部材４１１に取り付けられる。ストロボベース３０１もビスによって取り付け部材４１１に取り付けられる。
【００３５】
フレキシブル配線基板４０３には、レバー式検知スイッチ４０３ａが実装され、発光ユニット１が使用状態であるのか、収納位置であるのかを検知する。レバー式検知スイッチ４０３ａは取り付け部材４１１に備える穴４１１ａからレバー部分が突出するように配置される。したがって、発光ユニット１が収納状態となるときには、ストロボホルダー４０８の突起４０８ａが検知スイッチ４０３ａのレバー部分を押し込む。一方、発光ユニット１が使用状態となるときには、突起４０８ａは検知スイッチ４０３ａのレバー部分に接触しない。検知スイッチ４０３ａによって発光ユニット１が使用状態であると検知するときのみ、デジタルカメラは発光ユニット１を発光させる制御を行う。
【００３６】
図５はデジタルカメラの発光部を説明する図である。本実施例では、発光ユニット１およびスライダ３７をあわせて発光部という。
【００３７】
図５では、鏡筒ベース３２、取り付け部材４１１などを省略している。上述したように、駆動環３０が回転すると、ストロボフォロワー３９が第１のストロボカム３０ａをトレースして、スライダ３７は光軸方向に移動する。そして、発光ユニット１は、ストロボベース３０１に対して回動可能に支持される。図５に示すように、ストロボホルダー４０８から突出形成される突起４０８ｂがスライダ３７に形成されるＵ字部３７ａに入り込む。したがって、スライダ３７が光軸方向に移動することで、Ｕ字部３７ａの壁３７ａ１または壁３７ａ２が突起４０８ｂを押し込むことで、発光ユニット１は収納状態と使用状態との間を移動する。
【００３８】
図６は発光部が使用状態と収納状態との間で移動する動作を説明する図である。
図６（ａ）は発光ユニット１を収納した収納状態を示している。図６（ａ）に示すように、この状態では突起４０８ｂはＵ字部３７ａのいずれの壁とも当接していないが、発光ユニット１はトグルばね４０９によって、収納状態となる方向に付勢されているので、発光ユニット１は収納状態を保持できる。
【００３９】
図６（ｂ）は図６（ａ）の状態からスライダ３７が矢印Ｑ方向に移動した状態を示している。この状態で、Ｕ字部３７ａの壁３７ａ２が突起４０８ｂと当接し、トグルばね４０９の付勢力に抗して、発光ユニット１を使用状態へ移動させる。
【００４０】
図６（ｂ）の状態からスライダ３７がトグルばね４０９の付勢力の方向が反転する地点まで発光ユニット１を移動させると、トグルばね４０９の付勢方向が反転して、発光ユニット１は使用状態の方向に付勢される。図６（ｃ）は発光ユニット１が使用状態となった様子を示している。このとき、突起４０８ｂはＵ字部３７ａのいずれの壁とも当接していないが、発光ユニット１はトグルばね４０９によって、使用状態となる方向に付勢されているので、発光ユニット１は使用状態を保持できる。
【００４１】
このように、スライダ３７を光軸方向に移動させることによって、発光ユニット１は収納状態から使用状態へ移動する。発光ユニット１を使用状態から収納状態へ移動する場合には、図６（ｃ）の状態からスライダ３７を図中の左方向に移動させればよい。
【００４２】
図７は駆動環３０に形成される３つのカム形状を説明する図である。
図７（ａ）は、駆動環３０の正面図および側面図である。図７（ｂ）は、図７（ａ）のＢ−Ｂ断面図である。図７（ｃ）は、駆動環３０を展開し、第１のストロボカム３０ａ、第２のストロボカム３０ｂおよび第３のストロボカム３０ｃが形成される部分を拡大した図である。
【００４３】
図８は発光部の動作を説明する図である。
図８（ａ）は、本実施例のデジタルカメラが図１（ａ）の状態となるときの発光部の状態を示している。図８（ｂ）は、本実施例のデジタルカメラが図１（ｂ）の状態となるときの発光部の状態を示している。図８（ｃ）は、本実施例のデジタルカメラが図１（ｃ）の状態となるときの発光部の状態を示している。図８（ｄ）は、本実施例のデジタルカメラが図１（ｄ）の状態となるときの発光部の状態を示している。
【００４４】
図７（ａ）〜（ｃ）に示すように、駆動環３０には第１のカムとしての第１のストロボカム３０ａ、第２のカムとしての第２のストロボカム３０ｂおよび第３のカムとしての第３のストロボカム３０ｃが形成されている。第１のストロボカム３０ａは、レンズ鏡筒ユニットＬが沈胴状態から繰り出し状態となるときに、発光ユニット１を収納状態から使用状態にするカムである。また、第１のストロボカム３０ａは、レンズ鏡筒ユニットＬが繰り出し状態から沈胴状態となるときに、発光ユニット１を使用状態から収納状態にするカムである。したがって、発光部が図８（ａ）に示す状態と図８（ｂ）に示す状態との間で変化するとき、スライダ３７のストロボフォロワー３９は第１のストロボカム３０ａをトレースする。
【００４５】
第２のストロボカム３０ｂは、レンズ鏡筒ユニットＬが繰り出し状態で、発光ユニット１が収納状態となったときに、発光ユニット１が収納状態のまま、レンズ鏡筒ユニットＬを繰り出し状態から沈胴状態にするカムである。また、第２のストロボカム３０ｂは、レンズ鏡筒ユニットＬが沈胴状態から繰り出し状態となるときに、発光ユニット１を押さえ込んで収納状態のまま、レンズ鏡筒ユニットＬを沈胴状態から繰り出し状態にするカムである。したがって、発光部が図８（ｃ）に示す状態と図８（ａ）に示す状態との間で変化するとき、スライダ３７のストロボフォロワー３９は第２のストロボカム３０ｂをトレースする。
【００４６】
第３のストロボカム３０ｃは、レンズ鏡筒ユニットＬが沈胴状態で、発光ユニット１が使用状態となったときに、発光ユニット１の使用状態を維持して、レンズ鏡筒ユニットＬを沈胴状態から繰り出し状態にするカムである。また、第３のストロボカム３０ｃは、発光ユニット１を使用状態に押さえ込んで、レンズ鏡筒ユニットＬが繰り出し状態から沈胴状態となるときに、発光ユニット１の使用状態を維持して、レンズ鏡筒ユニットＬを繰り出し状態から沈胴状態にするカムである。したがって、発光部が図８（ｂ）に示す状態と図８（ｄ）に示す状態との間で変化するとき、スライダ３７のストロボフォロワー３９は第３のストロボカム３０ｃをトレースする。
【００４７】
図７（ｃ）において、図８（ａ）に示すレンズ鏡筒ユニットＬが沈胴状態となり、発光ユニット１が収納状態となるとき、スライダ３７のストロボフォロワー３９はポジション３０ａ１に位置する。図８（ｂ）に示すレンズ鏡筒ユニットＬが繰り出し状態としてのワイド状態となり、発光ユニット１が使用状態となるとき、スライダ３７のストロボフォロワー３９はポジション３０ａ２に位置する。レンズ鏡筒ユニットＬが繰り出し状態としてのテレ状態となり、発光ユニット１が使用状態となるとき、スライダ３７のストロボフォロワー３９はポジション３０ａ３に位置する。第１のストロボカム３０ａは、ポジション３０ａ１とポジション３０ａ２との間で発光ユニット１を収納状態と使用状態との間で移動させ、ポジション３０ａ２とポジション３０ａ３との間ではカムリフトがほぼ０となるように設定される。
【００４８】
図８（ｂ）に示すように、スライダ３７のストロボフォロワー３９がポジション３０ａ２に位置するときに、発光ユニット１を手動操作によって収納状態とすると、図８（ｃ）に示す状態になる。このとき、ストロボフォロワー３９は第１のストロボカム３０ａとの係合を解除して、ポジション３０ｂ２にて第２のストロボカム３０ｂと係合する。同様に、ストロボフォロワー３９がポジション３０ａ３に位置するときに、発光ユニット１を手動操作によって収納状態とすると、ストロボフォロワー３９は第１のストロボカム３０ａとの係合を解除する。そして、ストロボフォロワー３９はポジション３０ｂ３にて第２のストロボカム３０ｂと係合する。
【００４９】
図９は発光部が手動操作される際の動作を説明する図である。図９（ａ）は、スライダ３７のストロボフォロワー３９がポジション３０ａ２に位置する状態を示している。この状態で発光ユニット１を手動操作によって収納されると、図９（ｂ）に示すように、スライダ３７に矢印Ｆ１方向の力が作用し、ストロボフォロワー３９が圧縮ばね４０の付勢力に抗して、矢印Ｐ方向に移動する。すなわち、ストロボフォロワー３９はスライダ３７の内部に退避する。
【００５０】
これによって、ストロボフォロワー３９は第１のストロボカム３０ａとの係合を解除して、スライダ３７は矢印Ｆ１方向に移動する。そして、図９（ｃ）に示す状態となるときに、ストロボフォロワー３９が圧縮ばね４０の付勢力によって、第２のストロボカム３０ｂに挿入される。このとき、ストロボフォロワー３９が第２のストロボカム３０ｂに挿入される際に、ストロボフォロワー３９の先端が第２のストロボカム３０ｂの斜面をすべることとなるので、矢印Ｆ１方向の力がスライダ３７に作用する。そして、図９（ｄ）に示すように、第２のストロボカム３０ｂと係合する。このように、ストロボフォロワー３９は、駆動環３０の外周面に対して略垂直となるスライダ３７の穴部に進退するので、ストレスなくカムとの係合と係合の解除を行うことができる。
【００５１】
ストロボフォロワー３９が第２のストロボカム３０ｂと係合するときに、レンズ鏡筒ユニットＬが繰り出し状態から沈胴状態となると、ストロボフォロワー３９は図７（ｃ）に示す第２のストロボカム３０ｂの右端までトレースする。そして、ストロボフォロワー３９は第２のストロボカム３０ｂとの係合を解除して、図７（ｃ）の矢印Ｂ１方向に進み、第１のストロボカム３０ａと係合して、ポジション３０ａ１に位置する。
【００５２】
ストロボフォロワー３９がポジション３０ａ１に位置するとき、発光ユニット１を収納状態に押さえ込んで、レンズ鏡筒ユニットＬを沈胴状態からワイド状態にする。このとき、ストロボフォロワー３９は第１のストロボカム３０ａとの係合を解除して、図７（ｃ）の矢印Ｂ２方向に進む。そして、ストロボフォロワー３９は第２のストロボカム３０ｂと係合して、ポジション３０ｂ２に位置する。
【００５３】
図８（ａ）に示すように、ストロボフォロワー３９がポジション３０ａ１に位置するとき、発光ユニット１を手動操作によって使用状態とすると、図８（ｄ）に示す状態になる。このとき、ストロボフォロワー３９は第１のストロボカム３０ａとの係合を解除して、ポジション３０ｃ１にて第３のストロボカム３０ｃと係合する。ストロボフォロワー３９がポジション３０ｃ１に位置するとき、レンズ鏡筒ユニットＬを沈胴状態からワイド状態にすると、ストロボフォロワー３９は第３のストロボカム３０ｃとの係合を解除して、矢印Ｃ２方向に進む。そして、ストロボフォロワー３９は第１のストロボカム３０ａと係合して、ポジション３０ａ２に位置する。
【００５４】
ストロボフォロワー３９がポジション３０ａ２に位置するとき、発光ユニット１を押さえ込んで使用状態のまま、レンズ鏡筒ユニットＬをワイド状態から沈胴状態にする。このとき、ストロボフォロワー３９は第１のストロボカム３０ａとの係合を解除して、図７（ｃ）の矢印Ｃ１方向に進む。そして、ストロボフォロワー３９は第３のストロボカム３０ｃと係合して、ポジション３０ｃ１に位置する。
【００５５】
本実施例では、第１のストロボカム３０ａと第２のストロボカム３０ｂとの間、第１のストロボカム３０ａと第３のストロボカム３０ｃとの間はそれぞれ連結されていない。例えば、第１のストロボカム３０ａと第２のストロボカム３０ｂとの間を連結すると、ストロボフォロワー３９がポジション３０ａ１に位置する状態からポジション３０ａ２に位置する状態にする際に、ポジション３０ｂ２に位置する状態となってしまう。すなわち、第１のストロボカム３０ａをトレースせず、第２のストロボカム３０ｂをトレースしてしまう。このようなことから、本実施例では、第１のストロボカム３０ａと第２のストロボカム３０ｂとの間、第１のストロボカム３０ａと第３のストロボカム３０ｃとの間を分離している。
【００５６】
図１０は、収納状態となった発光部を、手動操作によって使用状態まで移動させる動作を説明する図である。
【００５７】
図１０（ａ）は、図８（ａ）または図８（ｃ）に示すように、発光部が収納状態となるときのスライダ３７とストロボホルダー４０８の突起４０８ｂとの関係を示している。図１０（ａ）が、図８（ａ）に示す状態であるとき、ストロボカムフォロワー３９は第１のストロボカム３０ａに係合する。図１０（ａ）が、図８（ｃ）に示す状態であるとき、ストロボカムフォロワー３９は第２のストロボカム３０ｂに係合する。図１０（ａ）に示す状態では、突起４０８ｂとＵ字部３７ａの壁３７ａ１との間に第１のクリアランスＫ１が形成されている。この状態では、トグルばね４０９が発光ユニット１を付勢する方向Ｓは、発光ユニット１を収納状態に向けて付勢する方向となる。
【００５８】
図１０（ａ）に示す状態から発光ユニット１を手動操作によって使用状態に移動させる際には、ストロボカバー２に形成した突起２ａに指を掛けて、矢印Ｒ方向に手動操作する。発光ユニット１を手動操作によって矢印Ｒ方向に回転させると、第１のクリアランスＫ１がなくなって、突起４０８ｂがＵ字部３７ａの壁３７ａ１に当接する。
【００５９】
図１０（ｂ）は、この状態を示している。本実施例では、図１０（ｂ）に示す状態となるとき、発光ユニット１が第１の状態にあるという。このとき、ストロボカバー２と本体カバー９０１との間にクリアランスＴが形成される。図１０（ａ）の状態から図１０（ｂ）の状態までは、手動操作によって発光ユニット１のみが移動し、スライダ３７は移動しない。
【００６０】
図１０（ａ）の状態から図１０（ｂ）の状態までの間に必要な手動操作力はトグルばね４０９が発光ユニット１を収納状態に付勢する付勢力より大きな力であればよい。すなわち、比較的小さな操作力で、発光ユニット１は図１０（ａ）に示す収納状態から図１０（ｂ）の状態まで移動させることができる。
【００６１】
図１０（ｂ）に示す状態から、発光ユニット１をさらに矢印Ｒ方向に回転させると、突起４０８ｂがＵ字部３７ａの壁３７ａ１を押圧して、スライダ３７も矢印Ｆ方向に移動する。図１０（ｃ）は発光ユニット１の回転軸であるストロボシャフト３０２、トグルばね４０９が引っ掛けられる軸３０１ａと軸４１０とが一直線上に並んだ状態を示している。この位置を越えると、トグルばね４０９が発光ユニット１を付勢する方向Ｓは、発光ユニット１を使用状態に付勢する方向となる。
【００６２】
図１０（ｂ）の状態から図１０（ｃ）の状態までの間に必要な手動操作力は、トグルばね４０９が発光ユニット１を収納状態に付勢する付勢力と、スライダ３７を移動させる力との合力より大きな力を必要とする。
【００６３】
スライダ３７を移動させるには、ストロボカムフォロワー３９と第１のストロボカム３０ａまたは第２のストロボカム３０ｂとの係合を解除しなければならない。ストロボカムフォロワー３９と第１のストロボカム３０ａまたは第２のストロボカム３０ｂとの係合を解除するには、ストロボフォロワー３９が圧縮ばね４０の付勢力に抗して、スライダ３７の内部に退避させる力が必要となる。
【００６４】
すなわち、図１０（ｂ）の状態から図１０（ｃ）の状態までの間に必要な手動操作力は、図１０（ａ）の状態から図１０（ｂ）の状態までの間に必要な手動操作力よりも大きくなる。図１０（ｂ）の状態では発光ユニットの一部であるストロボカバー２と撮像装置本体としての本体カバー９０１との間に隙間（クリアランスＴ）が形成される。そして、この隙間（クリアランスＴ）に指を掛けることができるので、発光ユニット１に力を掛けやすくなる。
【００６５】
クリアランスＴが形成されない図１０（ａ）の状態から図１０（ｂ）の状態までの間では、ストロボカバー２の突起２ａを押し上げなければならないので、必要な手動操作力を比較的小さくしている。突起２ａの大きさを大きくすれば、収納状態から大きな力で発光ユニット１を押し上げることもできるが、突起２ａを大きくすることは、デジタルカメラのデザイン上、好ましくない。
【００６６】
このような点を勘案して、本実施例のデジタルカメラでは、発光ユニット１を収納状態から第１の状態までは小さな突起であっても、手動操作可能な操作力となるように、第１のクリアランスＫ１を形成している。
【００６７】
図１０（ｄ）は、図８（ｂ）または図８（ｄ）に示すように、発光部が収納状態となるときのスライダ３７とストロボホルダー４０８の突起４０８ｂとの関係を示している。図１０（ｄ）が、図８（ｂ）に示す状態であるとき、ストロボカムフォロワー３９は第１のストロボカム３０ａに係合する。図１０（ｄ）が、図８（ｄ）に示す状態であるとき、ストロボカムフォロワー３９は第３のストロボカム３０ｃに係合する。図１０（ｄ）に示す状態では、トグルばね４０９が発光ユニット１を付勢する方向Ｓは、発光ユニット１を使用状態に向けて付勢する方向となる。この状態では、突起４０８ｂとＵ字部３７ａの壁３７ａ２との間に第２のクリアランスＫ２が形成されている。
【００６８】
また、図１０（ｄ）に示す状態となるとき、発光ユニット１はトグルばね４０９によって使用状態に向けて付勢され、ストロボカムフォロワー３９は第１のストロボカム３０ａまたは第３のストロボカム３０ｃに係合する。ストロボカムフォロワー３９が第１のストロボカム３０ａまたは第３のストロボカム３０ｃに係合し始めると、スライダ３７が図中の右方向に引き寄せられる。これは、圧縮ばね４０によって付勢されたストロボカムフォロワー３９が第１のストロボカム３０ａまたは第３のストロボカム３０ｃに挿入されることによって、スライダ３７を移動させているからである。これによって、図１０（ｄ）に示す状態でも、突起４０８ｂとＵ字部３７ａの壁３７ａ１との間にクリアランスが形成されることとなる。
【００６９】
図１０（ｄ）に示す状態にて、発光ユニット１を手動操作によって図１０（ａ）に示す状態に移動させる場合には、まず第２のクリアランスＫ２がなくなるまでの間は、トグルばね４０９の付勢力に抗する力のみで、発光ユニット１を押し下げることができる。その後、突起４０８ｂがＵ字部３７ａの壁３７ａ２に当接して、スライダ３７を移動させて、図１０（ａ）に示す状態となる。第２のクリアランスＫ２がなくなって、突起４０８ｂがＵ字部３７ａの壁３７ａ２に当接する状態を第２の状態という。
【００７０】
図１０（ａ）においても、圧縮ばね４０によって付勢されたストロボカムフォロワー３９が第１のストロボカム３０ａまたは第２のストロボカム３０ｂに挿入されることで、スライダ３７を移動させる。したがって、突起４０８ｂとＵ字部３７ａの壁３７ａ２との間にクリアランスが形成されることとなる。
【００７１】
以上、説明したように、本実施例のデジタルカメラによれば、撮像不能状態の一例である電源オフから撮像可能状態の一例である電源オン状態としたときに、発光部は収納状態から使用状態となる。そして、電源オン状態で発光部が使用状態となっているときに、手動操作によって使用状態から収納状態とすることができ、発光部を収納状態のまま、電源オフ状態とすることができる。さらに、電源オフ状態で発光部が収納状態となっているときに、手動操作によって収納状態から使用状態とすることができ、発光部を使用状態のまま、電源オン状態とすることができる。
【００７２】
したがって、レンズ鏡筒ユニットに連動させて、発光部を使用状態と収納状態との間で移動させるものでありながら、電源オン状態でも、電源オフ状態でも、手動操作によって発光部を使用状態と収納状態との間で移動させることも可能となる。さらに、手動操作によって発光部を移動させた後は、発光部はその状態のまま、デジタルカメラの電源をオンオフすることができる。すなわち、電源オン状態で発光部を手動操作によって収納し、電源をオフにした場合にも、次に電源をオンすれば、発光部は収納状態から使用状態となる。同様に、電源オフ状態で発光部を手動操作によって使用状態として、電源をオンにした後、電源をオフすれば、発光部は使用状態から収納状態となる。
【００７３】
そして、第１のクリアランスＫ１を形成することで、発光ユニット１を手動操作によって、収納状態から使用状態に移動させる際には、スライダ３７が移動することなく、発光ユニット１が収納状態から第１の状態まで移動する。そして、発光ユニット１とスライダ３７とが一体となって動き出すときには、クリアランスＴが形成され、発光ユニット１に大きな力を掛けやすくなる。
【符号の説明】
【００７４】
１  発光ユニット
３０  駆動環
３０ａ  第１のストロボカム
３０ｂ  第２のストロボカム
３０ｃ  第３のストロボカム
３７  スライダ
３９  ストロボフォロワー
４４  駆動源
【図１】
0005455680.tif 000002
【図２】
0005455680.tif 000003
【図３】
0005455680.tif 000004
【図４】
0005455680.tif 000005
【図５】
0005455680.tif 000006
【図６】
0005455680.tif 000007
【図７】
0005455680.tif 000008
【図８】
0005455680.tif 000009
【図９】
0005455680.tif 000010
【図１０】
0005455680.tif 000011